(57)【特許請求の範囲】
【請求項１】
左右両側部に設けた一対のエンドブラケットと，上記エンドブラケットの間に回動自在に支承されたかご型ロータと，上記ロータに対向して配置され左右のエンドブラケット間に挟持されてなるステータとを有するかご形誘導電動機であって，
左右の上記エンドブラケットとステータとの間には，一体的に形成された端板がそれぞれ介設されており，上記端板には，電動機を設置対象に固定するための脚部と，電動機を吊架するための吊り穴と，接続端子を装着するための端子取付穴とが設けられていることを特徴とするかご形誘導電動機。
【請求項２】
請求項１において，一方の端板には前記端子取付穴が設けられており，他方の端板には前記脚部と吊り穴とが設けられていることを特徴とするかご形誘導電動機。
【請求項３】
請求項１において，一方の端板には前記端子取付穴と脚部とが設けられており，他方の端板には前記吊り穴が設けられていることを特徴とするかご形誘導電動機。
【請求項４】
請求項１において，一方の端板には前記端子取付穴と脚部とが設けられており，他方の端板には前記脚部と吊り穴とが設けらられていることを特徴とするかご形誘導電動機。
【発明の詳細な説明】
【０００１】
【技術分野】
本発明は，かご形誘導電動機の構造に関する。
【０００２】
【従来技術】
かご形誘導電動機は，フレームレスタイプとフレームタイプとが知られており，簡素な構造のフレームレスタイプでは，左右両側部に配置された支持部材としてのエンドブラケットの間にロータとステータとが配置されている。一方，フレームタイプでは，筒形のフレームの両側にエンドブラケットが取り付けられており，フレームの内部にロータとステータとが配置されている。
【０００３】
フレームレスタイプのかご形電動機９０は，図６に示すように，エンドブラケット９１１，９１２の間に，リング状の端板９２１，９２２を介してステータ９３を挟持する。そして，図示しないボルト等の固定具により，ステータ９３とエンドブラケット９１１，９１２とを固定する。
同図において，符号９４は，軸受け９５１を介してエンドブラケット９１１，９１２の間に回動自在に支承されたかご型ロータ，符号９３１は界磁巻線である。
【０００４】
そして，上記端板９２１，９２２は，ステータ９３とロータ９４との間に形成されるギャップを均一にするために用いられ，ステータ９３の内径を基準に端板９２１，９２２を切削加工し，インロー部を形成してエンドブラケット９１１，９１２とロータ９４とが同心となるように嵌合する。
また，符号９５２は，ねじ端子９５３により外線を固定する端子台であり，符号９５５は，電動機９０を吊架するための穴９５６を設けた吊りボルト，符号９６は，電動機を設置対象に固定するための雌ねじ９６１を設けた脚部，符号９３２は界磁巻線９３１とねじ端子９５３とを接続するリード線である。
【０００５】
【解決しようとする課題】
しかしながら，図６に示すフレームレスタイプの誘導電動機９０は，更に簡素な構造にして組み付けを容易にすることが求められている。
本発明はかかる従来の問題点に鑑みてなされたものであり，簡素にして組立の容易なかご形誘導電動機を提供しようとするものである。
【０００６】
【課題の解決手段】
本発明は，左右両側部に設けた一対のエンドブラケットと，上記エンドブラケットの間に回動自在に支承されたかご型ロータと，上記ロータに対向して配置され左右のエンドブラケット間に挟持されてなるステータとを有するかご形誘導電動機であって，左右の上記エンドブラケットとステータとの間には，一体的に形成された端板がそれぞれ介設されており，上記端板には，電動機を設置対象に固定するための脚部と，電動機を吊架するための吊り穴と，接続端子を装着するための端子取付穴とが設けられていることを特徴とするかご形誘導電動機にある。
【０００７】
本発明は，エンドブラケットを保持するフレームを設けることなくステータをエンドブラケットが直接挟持する，所謂フレームレスタイプのかご形電動機に関するものである。
本発明において特に注目すべきことの第一点は，エンドブラケットとステータとの間に介設させる一対の端板が，それぞれ一体的に形成されていることである。そして，特に注目すべき第２点は，上記端板には，電動機を設置するための脚部と，電動機を吊架するための吊りボルトに代わる機能の吊り穴と，接続端子を装着するための端子取付穴とが設けられていることである。
【０００８】
即ち，一体構造に形成された本発明にかかる端板には，脚部と吊り穴と端子取付穴とが一体的に設けられている。従って，従来品では端板と別体に形成されていた脚部と吊りボルトと端子台とが，端板と別個に設ける必要がなく，部品の個数が４個から１個へと大幅に少なくなる。
その結果，端板を組み付ければ脚部と吊りボルトと端子台とを別個に組み付ける必要がなく，組立工数が大幅に削減される。
【０００９】
そして，左右の端板に各機能をどのように割り付けるかについては，幾つかの割付態様がある。
例えば，請求項２に記載のように，一方の端板に端子取付穴を設け，他方の端板に脚部と吊り穴とを設ける。あるいは，請求項３に記載のように，一方の端板に端子取付穴と脚部とを設け，他方の端板に吊り穴を設ける。
【００１０】
また，請求項４に記載のように，一方の端板に端子取付穴と脚部とを設け，他方の端板には吊り穴と脚部と設け，脚部を両側に設けるようにしてもよい。
請求項２〜請求項４のいずれの場合も，前記各機能を両端板に分散配置しており，二つの端板の強度を均一化することができる。
【００１１】
【発明の実施の形態】
実施形態例
本例は，図１〜図３に示すように，左右両側部に設けた一対のエンドブラケット１１，１２と，エンドブラケット１１，１２の間に回動自在に支承されたかご型ロータ３１と，ロータ３１に対向して配置され左右のエンドブラケット間１１，１２に挟持されてなるステータ３５とを有するかご形誘導電動機１である。
【００１２】
そして，左右のエンドブラケット１１，１２とステータ３５との間には，一体的に形成された端板２１，２２がそれぞれ介設されており，端板２１，２２には，電動機１を設置対象に固定するための脚部２３と，電動機１を吊架するための吊り穴２２１と，接続端子４１を装着するための端子取付穴２１１とが設けられている。
【００１３】
そして，左方の端板には図４に示すように３個（３相）の端子取付穴２１１が設けられており，右方の端板２２には図５に示すように脚部２３と吊り穴２２１とが設けられている。
以下それぞれについて説明を補足する。
【００１４】
本例の電動機１は，図１〜図３に示すように，蓋形のエンドブラケット１１，１２の間に，端板２１，２２を介してステータ３５を挟持するフレームレスタイプのかご形モーターである。
そして，ロータ３１は，軸受け３２を介してシャフト３１１がエンドブラケット１１，１２の間に回動自在に支承されている。
同図において，符号３５１は，回転磁界を形成するための界磁巻線である。
【００１５】
端板２１，２２は，図４，図５に示すように，円形の開口部２１２，２２２を設けたリング状の板体であり，材料ＳＳ４００をプレス加工することにより製作されたものである。
そして，上記端板２１，２２は，ステータ３５とロータ３１との間に形成されるギャップを均一にする機能，即ちステータ内径を基準に切削加工されたインロー部を有しており，開口部２１２，２２２のエンドブラケット側の縁部には段差部２１３，２２３を設けてあり，組み付け時に嵌合してエンドブラケット１１，１２とロータ３１の軸心とが同心となるように位置合わせを行う。
【００１６】
そして，ステータ３５とエンドブラケット１１，１２とは，各部材１１，１２，２１，２２，３５貫通する図示しないボルト等の固定具により固定されている。
そして，左方の端板には図４に示すように３個（３相）の端子取付穴２１１が設けられており，ねじ端子４１により外線を固定する。図１において符号３５２は界磁巻線３５１とねじ端子４１とを接続するリード線である。
また，右方の端板２２には，図５に示すように，電動機１を設置対象に固定するための脚部２３と，電動機１を吊架するためのフック等を挿入する吊り穴２２１とが設けられており，脚部２３には取付ボルトの挿入穴２３１が４個穿設されている。
【００１７】
上記のように，本例の電動機１の端板２１，２２には，脚部２３と吊り穴２２１と端子取付穴２１１とが一体的に設けられている。
従って，従来品では端板とは別体の部品しとて形成されていた脚部と吊りボルトと端子台とは別個に設ける必要がなく，部品の個数が大幅に少なくなり，部品の加工工数が大幅に減少する。
【００１８】
また，端板２１，２２をエンドブラケット１１，１２とステータ３５の間に組み付ければよく，脚部と吊りボルトと端子台とを別個に組み付ける必要がなく，組立工数も大幅に削減される。
上記のように，本例によれば，簡素にして組立の容易なかご形誘導電動機１を得ることができる。
【００１９】
【発明の効果】
上記のように本発明によれば，簡素にして組立の容易なかご形誘導電動機を得ることができる。
【図面の簡単な説明】
【図１】実施形態例のかご形電動機の断面図。
【図２】実施形態例のかご形電動機の正面図。
【図３】実施形態例のかご形電動機の右側面図。
【図４】実施形態例のかご形電動機の左側の端板の斜視図。
【図５】実施形態例のかご形電動機の右側の端板の斜視図。
【図６】従来のかご形電動機の断面図。
【符号の説明】
１．．．かご形電動機，
１１，１２．．．エンドブラケット，
２１，２２．．．端板，
２１１．．．端子取付穴，
２２１．．．吊り穴，
２３．．．脚部，
３１．．．ロータ
３５．．．ステータ，
４１．．．端子，
【図１】
0003809704.tif 000002
【図２】
0003809704.tif 000003
【図３】
0003809704.tif 000004
【図４】
0003809704.tif 000005
【図５】
0003809704.tif 000006
【図６】
0003809704.tif 000007